(57)【特許請求の範囲】
【請求項１】
前腹部伸縮性積層体と後背部伸縮性積層体との間を跨って吸収体が配設され、前記前腹部伸縮性積層体と前記後背部伸縮性積層体とが接合されて胴回り開口部を有する使い捨て着用物品を製造する方法であって、
前記前腹部伸縮性積層体と前記後背部伸縮性積層体とを所定の間隔を隔てた状態で連続送りする工程と、
前記吸収体を製造する工程と、
前記前腹部伸縮性積層体又は前記後背部伸縮性積層体に、少なくとも１本の切断線を形成する工程と、
前記切断線が形成される伸縮性積層体の内面に、前記切断線の左右外方に位置するように積層体側止着部材を取り付ける工程と、
前記切断線が形成される伸縮性積層体へ取り付けるべき前記吸収体の前端部又は後端部の裏面に前記積層体側止着部材と着脱可能な吸収体側止着部材を取り付ける工程と、
前記切断線を形成する工程及び前記止着部材を取り付ける工程の後、その積層体側止着部材と前記吸収体側止着部材とを係合させる工程と、
前記切断線が形成された伸縮性積層体ではない方の伸縮性積層体に対し、当該伸縮性積層体に接着すべき吸収体の前端部又は後端部を接着する工程と、
前記各工程の後、前記吸収体を境にして前記前腹部伸縮性積層体と前記後背部伸縮性積層体とを重ね合わせ、前記両積層体の側縁部となるべき部分を接合する工程と、を包含し、
前記少なくとも１本の切断線は、前記前腹部伸縮性積層体又は後背部伸縮性積層体と前記吸収体との重なり部分を通るように形成されている使い捨て着用物品を製造する方法。
【請求項２】
前腹部伸縮性積層体と後背部伸縮性積層体との間を跨って吸収体が配設され、前記前腹部伸縮性積層体と前記後背部伸縮性積層体とが接合されて胴回り開口部を有する使い捨て着用物品を製造する方法であって、
前記前腹部伸縮性積層体と前記後背部伸縮性積層体とを所定の間隔を隔てた状態で連続送りする工程と、
前記吸収体を製造する工程と、
前記前腹部伸縮性積層体及び前記後背部伸縮性積層体に、少なくとも１本の切断線を形成する工程と、
前記両積層体の内面に、前記切断線の左右外方に位置するように積層体側止着部材をそれぞれ取り付ける工程と、
前記両積層体へ取り付けるべき前記吸収体の前端部及び後端部の裏面に前記積層体側止着部材と着脱可能な吸収体側止着部材をそれぞれ取り付ける工程と、
前記切断線を形成する工程及び前記止着部材を取り付ける工程の後、前記両積層体に吸収体が跨るように、前記積層体側止着部材と前記吸収体側止着部材とをそれぞれ係合させる工程と、
前記各工程の後、前記吸収体を境にして前記前腹部伸縮性積層体と前記後背部伸縮性積層体とを重ね合わせ、前記両積層体の側縁部となるべき部分を接合する工程と、を包含し、
前記少なくとも１本の切断線は、前記前腹部伸縮性積層体及び吸収体との重なり部分を通るように形成されている使い捨て着用物品を製造する方法。
【請求項３】
前記使い捨て着用物品が、切断線が形成されている伸縮性積層体を切断した後に、止着部材によりパンツ型として使用することができる請求項１又は２記載の使い捨て着用物品を製造する方法。
【請求項４】
前腹部伸縮性積層体と後背部伸縮性積層体との間を跨って吸収体が配設されており、前腹部伸縮性積層体と後背部伸縮性積層体とが接合されて胴回り開口部を有する使い捨て着用物品であって、
前腹部伸縮性積層体、後背部伸縮性積層体の少なくとも一方において、胴回り開口部側の一端と胴回り開口部側の一端に対向する他端との間に渡って形成された少なくとも１本の切断線と、
前記切断線の左右外方に位置するとともに、前記切断線が形成されている伸縮性積層体と吸収体とを着脱可能に係止する第一係止部材と、
切断線が形成されている伸縮性積層体を当該切断線で切断することにより形成される一対の切断片のうちの少なくとも一方の外側面に設けられ、当該切断片同士を着脱可能に係止可能な第二係止部とを備え、
切断線は、切断線が形成されている伸縮性積層体と吸収体との重なり部分を通るように形成されていることを特徴とする使い捨て着用物品。
【発明の詳細な説明】
【技術分野】
【０００１】
本発明は、使い捨て着用物品に関する。
【背景技術】
【０００２】
従来、使い捨て着用物品、例えば使い捨てパンツとしては、前腹部と後背部との間の股部にレッグ開口部が形成され、上記股部の肌面側に吸収体が設けられて、前腹部と後背部の両側部が融着接合（いわゆるサイドシール）されたものが提案されている（例えば、特開平９−５６７４６号公報）。
【０００３】
また、外装シートの前腹部と後背部の一方の両側部に取付けられた一側のメカニカルファスナー（止着部材）を、前腹部と後背部の他方の両側部に取付けられた他側のメカニカルファスナーに取り外し可能に係止できるように構成された使い捨ておむつも提案されている。
【発明の開示】
【発明が解決しようとする課題】
【０００４】
ところで、外装シートの前腹部と後背部とをサイドシールする特許文献１の構造は、剥離強度に優れている反面、緊急時にサイド部を引き千切って前腹部を開けた状態で排尿等をすると、サイド部を再び引っ付けることができないので、その場で新しい使い捨てパンツに履き替えなければならないという問題がある。
【０００５】
また、外装シートの前腹部と後背部とをメカニカルファスナーで係止する構造は、繰り返し係止ができる反面、係止強度が弱いので、長時間に渡って使用していると係止が緩んで使い捨て着用パンツがずれ下がりやすいという問題がある。
【０００６】
本発明は、上記問題を解消するためになされたもので、通常時には、パンツ型として使用できる構造を採用するとともに、緊急時にサイド部等を引き千切った後には、新しい着用物品に履き替えるまでの間は、再度パンツ型として止着部材で仮係止できる構造を採用した使い捨て着用物品を提供することを課題とするものである。
【課題を解決するための手段】
【０００７】
本発明は、前腹部伸縮性積層体と後背部伸縮性積層体との間を跨って吸収体が配設され、前記前腹部伸縮性積層体と前記後背部伸縮性積層体とが接合されて胴回り開口部を有する使い捨て着用物品を製造する方法であって、前記前腹部伸縮性積層体と前記後背部伸縮性積層体とを所定の間隔を隔てた状態で連続送りする工程と、前記吸収体を製造する工程と、前記前腹部伸縮性積層体又は前記後背部伸縮性積層体に、少なくとも１本の切断線を形成する工程と、前記切断線が形成される伸縮性積層体の内面に、前記切断線の左右外方に位置するように積層体側止着部材を取り付ける工程と、前記切断線が形成される伸縮性積層体へ取り付けるべき前記吸収体の前端部又は後端部の裏面に前記積層体側止着部材と着脱可能な吸収体側止着部材を取り付ける工程と、前記切断線を形成する工程及び前記止着部材を取り付ける工程の後、その積層体側止着部材と前記吸収体側止着部材とを係合させる工程と、前記切断線が形成された伸縮性積層体ではない方の伸縮性積層体に対し、当該伸縮性積層体に接着すべき吸収体の前端部又は後端部を接着する工程と、前記各工程の後、前記吸収体を境にして前記前腹部伸縮性積層体と前記後背部伸縮性積層体とを重ね合わせ、前記両積層体の側縁部となるべき部分を接合する工程と、を包含し、前記少なくとも１本の切断線は、前記前腹部伸縮性積層体又は後背部伸縮性積層体と前記吸収体との重なり部分を通るように形成されている使い捨て着用物品を製造する方法を提供する。
【０００８】
また、本発明は、前腹部伸縮性積層体と後背部伸縮性積層体との間を跨って吸収体が配設され、前記前腹部伸縮性積層体と前記後背部伸縮性積層体とが接合されて胴回り開口部を有する使い捨て着用物品を製造する方法であって、前記前腹部伸縮性積層体と前記後背部伸縮性積層体とを所定の間隔を隔てた状態で連続送りする工程と、前記吸収体を製造する工程と、前記前腹部伸縮性積層体及び前記後背部伸縮性積層体に、少なくとも１本の切断線を形成する工程と、前記両積層体の内面に、前記切断線の左右外方に位置するように積層体側止着部材をそれぞれ取り付ける工程と、前記両積層体へ取り付けるべき前記吸収体の前端部及び後端部の裏面に前記積層体側止着部材と着脱可能な吸収体側止着部材をそれぞれ取り付ける工程と、前記切断線を形成する工程及び前記止着部材を取り付ける工程の後、前記両積層体に吸収体が跨るように、前記積層体側止着部材と前記吸収体側止着部材とをそれぞれ係合させる工程と、前記各工程の後、前記吸収体を境にして前記前腹部伸縮性積層体と前記後背部伸縮性積層体とを重ね合わせ、前記両積層体の側縁部となるべき部分を接合する工程と、を包含し、前記少なくとも１本の切断線は、前記前腹部伸縮性積層体及び吸収体との重なり部分を通るように形成されている使い捨て着用物品を製造する方法を提供する。
【０００９】
前記製造方法において、切断線が形成されている伸縮性積層体を切断した後に、止着部材によりパンツ型として使用することができる構成とすることが好ましい。
【００１０】
さらに、本発明は、前腹部伸縮性積層体と後背部伸縮性積層体との間を跨って吸収体が配設されており、前腹部伸縮性積層体と後背部伸縮性積層体とが接合されて胴回り開口部を有する使い捨て着用物品であって、前腹部伸縮性積層体、後背部伸縮性積層体の少なくとも一方において、胴回り開口部側の一端と胴回り開口部側の一端に対向する他端との間に渡って形成された少なくとも１本の切断線と、前記切断線の左右外方に位置するとともに、前記切断線が形成されている伸縮性積層体と吸収体とを着脱可能に係止する第一係止部材と、切断線が形成されている伸縮性積層体を当該切断線で切断することにより形成される一対の切断片のうちの少なくとも一方の外側面に設けられ、当該切断片同士を着脱可能に係止可能な第二係止部とを備え、切断線は、切断線が形成されている伸縮性積層体と吸収体との重なり部分を通るように形成されていることを特徴とする使い捨て着用物品を提供する。
【００１１】
本発明によれば、前腹部と後背部の両側部を剥離可能に融着接合するサイドシール構造とすることにより、サイド部は剥離強度に優れているから、通常の使用時には、パンツ型として長時間に渡って使用してもサイド部が緩まない。
【００１２】
また、前腹部と後背部とを止着部材で着脱可能に係止する構造を併用することにより、緊急時にサイドシール部分を引き千切った後には、新しい着用物品に履き替えるまでの間は、再度パンツ型として止着部材で仮係止できるようになる。
【００１３】
この結果、高価な使い捨て着用物品を最後まで有効に利用できるようになる。
【発明の効果】
【００１４】
本発明によれば、通常時には、パンツ型として使用できる構造を採用するとともに、緊急時にサイド部等を引き千切った後には、新しい着用物品に履き替えるまでの間は、再度パンツ型として止着部材で仮係止できる構造を採用した使い捨て着用物品を提供することができる。
【発明を実施するための最良の形態】
【００１５】
以下、本発明を説明するための参考となる実施の形態を図１〜図６を参照して詳細に説明する。
【００１６】
図１、図２および図３（ａ）に示すように、参考実施形態１の使い捨て着用物品である使い捨てパンツ１５Ａは、２枚のバックシート２（Ａ，Ｂ）と吸収性コア３とトップシート４とでなる吸収体１と、左右一対の立ち上がりフラップ５と、後背部用伸縮性シート６とで基本構成されている。この基本構成からバックシート２Ａを省き、バックシート２Ｂとトップシート４との間、またはバックシート２Ｂと立ち上がりフラップ５との間に、レッグ開口部Ｓに沿って、レッグ用弾性部材９を伸張状態で添設することもできる。
【００１７】
上記バックシート２（Ａ，Ｂ）は、少なくとも一方が不透液性素材で構成され、不透液性素材としては合成樹脂製フィルムや撥水性不織布、透液性素材としては不織布を好適に用いることができ、２枚重ねで接着するバックシート２（Ａ，Ｂ）の間の両側部には、レッグ用弾性部材９が伸長状態で添設されている。
【００１８】
上記吸収性コア３は、天然パルプ繊維、合成樹脂繊維や高吸水性樹脂材料などで構成されている。
【００１９】
上記トップシート４は、透液性不織布で構成されている。
【００２０】
上記左右一対の立ち上がりフラップ５は、撥水性または防水性を有する合成樹脂製不織布で構成されて、自由端部５ａには、前後方向に延びるフラップ用弾性部材７が伸長状態で接着されている。
【００２１】
上記各弾性部材７，９は、糸状の天然ゴム、糸状の合成ゴム、ポリウレタン系弾性糸などが利用でき、１本使用に限らず複数本使用であっても良い。また、上記弾性部材７，９として、ポリウレタン系、ポリオレフィン系、ポリスチレン系などの弾性フィルムを用いることもできる。
【００２２】
そして、上側のバックシート２（Ａ）の上に吸収性コア３を接着するとともに、この吸収性コア３をくるむようにして上側のバックシート２（Ａ）の上にトップシート４を接着して、吸収体１が完成し、その両側部分に立ち上がりフラップ５の基端部５ｂが接着される。
【００２３】
この吸収体１は、縦長方向の一方の端に前腹部Ｐと、他方の端に後背部Ｑと、前腹部Ｐと後背部Ｑとの間に股部Ｒを有し、股部Ｒは、縦長方向に伸びる中心線Ｌ１の両側にレッグ開口部Ｓが形成されている。
【００２４】
上記吸収体１の前腹部Ｐの前端にはウエスト用弾性部材を添着したウエスト用弾性シート１０Ａが接着されるとともに、後背部Ｑの後端にはウエスト用弾性部材を添着したウエスト用弾性シート１０Ｂが接着されている。この各弾性シート１０Ａ，１０Ｂは、上記立ち上がりフラップ５の前後端部を挟み込むようにして前腹部Ｐと後背部Ｑにそれぞれ接着されるようになる。なお、各弾性シート１０Ａ，１０Ｂの接着は、立ち上がりフラップ５の前後端部を挟み込むようにして前腹部Ｐと後背部Ｑにそれぞれ接着する例に限られるものではない。なお、ウエスト用弾性シート１０Ｂを省き、後背部用伸縮性シート６を折り曲げて、立ち上がりフラップ５を挟み込むようにして接着することもできる。
【００２５】
上記吸収体１の後背部Ｑのバックシート２（Ｂ）の裏面側には、上記伸縮性シート６が接着されて、この伸縮性シート６の両側部には、側方に延在するサイド部６ａがそれぞれ形成されて、この各サイド部６ａの自由端の内面には、メカニカルファスナー１１のフック部１１Ａがそれぞれ接着されるとともに、上記吸収体１の前腹部Ｐのバックシート２（Ｂ）の外面の両側部には、メカニカルファスナー１１のループ部１１Ｂがそれぞれ接着されている。
【００２６】
なお、ループ部とフック部が対になっている場合、部１１Ａがループ部であり、部１１Ｂがフック部であっても良い。但し、サイド部６ａの自由端の内面にフック部が配置され、バックシート２（Ｂ）の外面の両側部にループ部が配置されている場合には、前腹部Ｐのバックシート２（Ｂ）の外面がフックが着脱可能に係止できる材料（例えば、エアースルー不織布）であれば、その部分をループ部１１Ｂとして代用することが可能である。
【００２７】
ここで、メカニカルファスナー１１とは、フック部１１Ａとループ部１１Ｂとが対をなして、両者を強く圧迫するとフック部１１Ａとループ部１１Ｂとが相互に外れにくいように係止されるとともに、フック部１１Ａとループ部１１Ｂとを手で強く引き剥がすとフック部１１Ａとループ部１１Ｂとの係止が外れるものをいい、面ファスナーとも呼ばれているものである。
【００２８】
上記伸縮性シート６の各サイド部６ａは、図４（ａ）に示すように、メカニカルファスナー１１のフック部１１Ａを上記吸収体１の前腹部Ｐのバックシート２（Ｂ）のループ部１１Ｂに係止することにより、前腹部Ｐと後背部Ｑとをメカニカルファスナー１１で係止する構造とすることができる。
【００２９】
ところで、上記伸縮性シート６の各サイド部６ａは、基本的には、上記吸収体１の前腹部Ｐのバックシート２（Ｂ）の外面の両側部に剥離可能に融着接合するサイドシール構造となっている。
【００３０】
すなわち、図４（ｂ）に示すように、サイド部６ａのフック部１１Ａを前腹部Ｐのループ部１１Ｂに係止した状態で、サイド部６ａの前端部６ｂを前腹部Ｐに融着接合（×印参照）するサイドシール構造となっている。
【００３１】
このサイドシール構造は、図４（ｃ）のように、サイド部６ａのフック部１１Ａを前腹部Ｐのループ部１１Ｂよりも内方に位置させて係止しない状態で、サイド部６ａの前端部６ｂを前腹部Ｐに融着接合（×印参照）したり、（ｄ）のように、サイド部６ａのフック部１１Ａを前腹部Ｐのループ部１１Ｂよりも外方に位置させて係止しない状態で、サイド部６ａの前端部６ｂを前腹部Ｐに融着接合（×印参照）したりすることができる。
【００３２】
また、図４（ｅ）のように、サイド部６ａのフック部１１Ａを外向きに折り返して、このフック部１１Ａを前腹部Ｐのループ部１１Ｂに重ね合わせた状態で、サイド部６ａの折り返し部６ｃを前腹部Ｐに融着接合（×印参照）するとともに、サイド部６ａの前端部６ｂをサイド部６ａに融着接合（×印参照）したり、（ｆ）のように、サイド部６ａのフック部１１Ａを外向きに折り返して、このフック部１１Ａを前腹部Ｐのループ部１１Ｂの外方に位置させた状態で、サイド部６ａの折り返し部６ｃを前腹部Ｐに融着接合（×印参照）するとともに、サイド部６ａの前端部６ｂをサイド部６ａに融着接合（×印参照）したりすることができる。
【００３３】
さらに、図４（ｇ）のように、サイド部６ａのフック部１１Ａを内向きに折り返して、このフック部１１Ａを前腹部Ｐのループ部１１Ｂに重ね合わせた状態で、サイド部６ａの折り返し部６ｃを前腹部Ｐに融着接合（×印参照）したり、（ｈ）のように、サイド部６ａのフック部１１Ａを内向きに折り返して、このフック部１１Ａを前腹部Ｐのループ部１１Ｂの外方に位置させた状態で、サイド部６ａの折り返し部６ｃを前腹部Ｐに融着接合（×印参照）したりすることができる。
【００３４】
なお、図４（ｂ）〜（ｈ）は、サイドシール構造の例示であって、要するに、前腹部Ｐと後背部Ｑの両側部を剥離可能に融着接合するサイドシール構造であれば、どのような構造であっても良い。
【００３５】
上記のように構成した参考実施形態１の使い捨てパンツ１５Ａであれば、前腹部Ｐと後背部Ｑの伸縮性シート６のサイド部６ａとの両側部を剥離可能に融着接合するサイドシール構造とすることにより、剥離強度に優れているから、通常の使用時には長時間に渡って使用してもサイドシール部分が緩まなくなるので、使い捨てパンツ１５Ａがずれ下がりにくくなる。
【００３６】
また、前腹部Ｐと後背部Ｑの伸縮性シート６のサイド部６ａとをメカニカルファスナー１１で係止する構造を併用することにより、緊急時にサイドシール部分を引き千切った後には、新しい使い捨てパンツ１５Ａに履き替えるまでの間はメカニカルファスナー１１で仮係止できるようになるから、その場で新しい使い捨てパンツ１５Ａに履き替えなければならないという不具合がなくなる。
【００３７】
この結果、高価な使い捨て着用パンツ１５Ａを最後まで有効に利用できるようになる。
【００３８】
さらに、本参考実施形態では、メカニカルファスナー１１のフック部１１Ａは、後背部Ｑの伸縮性シート６に取付けられているから、この伸縮性シート６によって、使い捨てパンツ１５Ａを着用者の胴（ウエスト）回りにフィットさせることができるので、ずれ下がりが防止されて着用感が向上するようになる。
【００３９】
上記参考実施形態１の使い捨てパンツ１５Ａは、吸収体１に前腹部Ｐと後背部Ｑとを形成したタイプであったが、図５、図６および図３（ｂ）に示す参考実施形態２の使い捨てパンツ１５Ｂのように、外装シート１２に前腹部Ｐと後背部Ｑとを形成するタイプとすることもできる。
【００４０】
すなわち、参考実施形態２の使い捨てパンツ１５Ｂは、外装シート１２と、１枚のバックシート２と吸収性コア３とトップシート４とでなる吸収体１と、左右一対の立ち上がりフラップ５とで基本構成されている。
【００４１】
上記バックシート２は不透液性素材で構成され、上記吸収性コア３は天然パルプ繊維、合成樹脂繊維や高吸水性樹脂材料などで構成され、上記トップシート４は透液性不織布で構成されている。
【００４２】
上記左右一対の立ち上がりフラップ５は、撥水性または防水性を有する合成樹脂製不織布で構成されて、自由端部５ａには、前後方向に延びるフラップ用弾性糸７が伸長状態で接着されている。
【００４３】
そして、バックシート２の上に吸収性コア３を接着するとともに、この吸収性コア３をくるむようにしてバックシート２の上にトップシート４を接着して、吸収体１が完成し、その両側部分に立ち上がりフラップ５の基端部５ｂが接着される。
【００４４】
上記外装シート１２は、図３（ｂ）に示すように、外面側シート１２Ａと肌面側シート１２Ｂとの２枚のシートで構成されて、この外装シート１２の前部には、着用者の腹部分に当てがわれる広幅の前腹部Ｐが形成され、後部には、着用者の背部分に当てがわれる広幅の後背部Ｑが形成されるとともに、前腹部Ｐと後背部Ｑとの間の股部Ｒの両側には、レッグ開口部Ｓが形成されて、このレッグ開口部Ｓに沿って、２枚重ねで接着する外面側シート１２Ａと肌面側シート１２Ｂとの両側部には、レッグ用弾性部材９が伸長状態で添設されている。上記外装シート１２を、外面側シート１２Ａのみで構成して、外面側シート１２Ｂとトップシート４との間、または外面側シート１２Ｂと立ち上がりフラップ５との間の、中心線Ｌ１に対して両側の端に、レッグ用弾性部材９を伸張状態で添設することもできる。あるいは、トップシート４とバックシート２との間、または立ち上がりフラップ５とバックシート２との間に、中心線Ｌ１に対して両側の端に、レッグ用弾性部材９を伸張状態で添設することもできる。
【００４５】
上記外装シート１２の前腹部Ｐの前端にはウエスト用弾性部材を添着したウエスト用弾性シート１０Ａが接着されるとともに、後背部Ｑの後端にはウエスト用弾性部材を添着したウエスト用弾性シート１０Ｂが接着されている。この各弾性シート１０Ａ，１０Ｂは、上記立ち上がりフラップ５の前後端部を挟み込むようにして前腹部Ｐと後背部Ｑにそれぞれ接着されるようになる。なお、各弾性シート１０Ａ，１０Ｂの接着は、立ち上がりフラップ５の前後端部を挟み込むようにして前腹部Ｐと後背部Ｑにそれぞれ接着する例に限られるものではない。
【００４６】
上記外装シート１２の後背部Ｑの両側部のサイド部１２ａの内面には、メカニカルファスナー１１のフック部１１Ａがそれぞれ接着されるとともに、この外装シート１２の前腹部Ｐの両側部の外面には、メカニカルファスナー１１のループ部１１Ｂがそれぞれ接着されている。
【００４７】
ところで、上記外装シート１２の各サイド部１２ａは、参考実施形態１の伸縮性シート６の各サイド部６ａと同様に、基本的には、上記外装シート１２の前腹部Ｐの外面の両側部に剥離可能に融着接合するサイドシール構造となっていて、図４（ｂ）〜（ｈ）に示したのと同様のサイドシール構造である。
【００４８】
上記のように構成した参考実施形態２の使い捨てパンツ１５Ｂであれば、前腹部Ｐと後背部Ｑのサイド部１２ａとの両側部を剥離可能に融着接合するサイドシール構造とすることにより、剥離強度に優れているから、通常の使用時には長時間に渡って使用してもサイドシール部分が緩まなくなるので、使い捨てパンツ１５Ｂがずれ下がりにくくなる。
【００４９】
また、前腹部Ｐと後背部Ｑのサイド部１２ａとをメカニカルファスナー１１で係止する構造を併用することにより、緊急時にサイドシール部分を引き千切った後には、新しい使い捨てパンツ１５Ｂに履き替えるまでの間はメカニカルファスナー１１Ａ，１１Ｂで仮係止できるようになるから、その場で新しい使い捨てパンツ１５Ｂに履き替えなければならないという不具合がなくなる。
【００５０】
この結果、高価な使い捨て着用パンツ１５Ｂを最後まで有効に利用できるようになる。
【００５１】
以下、本発明の実施形態に係る使い捨てパンツについて図面を参照して説明する。
図７〜図１０は、本発明の実施形態に係る使い捨てパンツ１５Ｃである。
【００５２】
図７（ａ）および図８（ａ）に示すように、この使い捨てパンツ１５Ｃは、前腹部Ｐ側の伸縮性積層体１７Ａと後背部Ｑ側の伸縮性積層体１７Ｂとを有して、両伸縮性積層体１７Ａ，１７Ｂの側縁部１７ａは融着接合されており（融着接合されている側縁部１７ａを、以下、サイドシール部１７ａという）、胴回り開口部Ｔを有している。サイドシール部１７ａは必ずしも剥離可能である必要はない。サイドシール部１７ａは、融着接合の代わりに、ホットメルト接着剤などで接着することによって接合することもでき、接合方法は問わない。
【００５３】
吸収体１は、具体的な図示は省略しているが、上記各参考実施形態と同様に、バックシート２と吸収性コア３とトップシート４と、左右一対の立ち上がりフラップ５とで構成されている。
【００５４】
吸収体１は、上記前腹部Ｐ側の伸縮性積層体１７Ａと後背部Ｑ側の伸縮性積層体１７Ｂとの内面に跨って配置されおり、吸収体１の後背部Ｑ側の端部（後端部）１ｂの外面は、後背部Ｑ側の伸縮性積層体１７Ｂの内面にホットメルト接着剤などで接着されている。
【００５５】
上記前腹部Ｐの伸縮性積層体１７Ａには、この伸縮性積層体１７Ａを手で幅方向に切断可能な切断線１８が形成されている。切断線１８は、胴回り開口部Ｔ側の一端とそれに対向する他端との間に跨って形成されている。切断線１８は、胴回り開口部Ｔ側の一端と直交する方向に形成されていると、切断しやすく、後述する仮係止の際に位置合わせしやすいので好ましい。
【００５６】
上記前腹部Ｐ側の伸縮性積層体１７Ａの内面には、上記切断線１８の左右外方に位置させて、メカニカルファスナー１１のフック部１１Ａがそれぞれ取付けられるとともに、上記吸収体１の前端部１ａの外面には、メカニカルファスナー１１のループ部１１Ｂが取付けられている。メカニカルファスナー１１のフック部１１Ａを吸収体１の前端部１ａの外面に、ループ部１１Ｂを伸縮性積層体１７Ａの内面に取付けることもできる。吸収体１のバックシート２（Ｂ）の外面が、フックが着脱可能に係止できる材料（例えば、エアースルー不織布）であれば、その部分をループ部１１Ｂとして代用とすることが可能である。
【００５７】
上記前腹部Ｐ側の伸縮性積層体１７Ａのループ部１１Ｂに相当する部位は、伸縮性を小さくするか、または伸縮性をなくす処理がなされていると、メカニカルファスナー１１が取付けやすくなり、そして完成した使い捨てパンツ１５Ｃのメカニカルファスナー部分にシワがよらないので好ましい。
【００５８】
上記のように構成した本発明の実施形態に係る使い捨てパンツ１５Ｃであれば、伸縮性積層体１７Ａの前腹部Ｐに切断線１８を形成するとともに、この前腹部Ｐに吸収体１をメカニカルファスナー１１で着脱可能に係止することにより、切断線１８は引っ張り強度に優れているから、通常の使用時には、パンツ型として長時間に渡って使用しても切断されない〔図７（ａ）、図８（ａ）の状態〕。
【００５９】
また、切断した前腹部Ｐの伸縮性積層体１７Ａをメカニカルファスナー１１で係止する構造を併用することにより、緊急時に前腹部Ｐの伸縮性積層体１７Ａを切断線１８で切断して、図７（ｂ）のように、切断した伸縮性積層体１７Ａの切断片１７Ａ−１，１７Ａ−２の一側若しくは両側を左右に開けて、前腹部Ｐを開けた状態で排尿等をした後には、新しい使い捨てパンツ１５Ｃに履き替えるまでの間は、パンツ型としてメカニカルファスナー１１で仮係止できるようになる。上記吸収体１の前腹部Ｐ側の端部（前端部）１ａの端が胴回り開口部Ｔまで達するように吸収体１が配置され、切断線１８が伸縮性積層体１７Ａと吸収体１との重なり部分を越えないように形成されており、さらに重なり部分全体にメカニカルファスナーが取付けられていると、仮係止の強度が強くなるので好ましい。
【００６０】
この結果、高価な使い捨てパンツ１５Ｃを最後まで有効に利用できるようになる。
【００６１】
さらに、切断線１８がミシン目であると、製造が容易で切断も簡単に行える。
【００６２】
図８（ｂ）に示すように、前腹部Ｐの伸縮性積層体１７Ａの切断線１８の無い部位（後述する一側の切断片１７Ａ−１の側）における外面に、メカニカルファスナー１１のループ部１１Ｂ´（第二係止部）を別に取付けるようにしても良い。なお、伸縮性積層体１７Ａの外面がフックが着脱可能に係止できる材料（例えば、エアースルー不織布）であれば、その部分をループ部１１Ｂ´として代用とすることが可能である。
【００６３】
このようにすれば、図７（ｃ）および図８（ｃ）のように、切断した伸縮性積層体１７Ａの一側の切断片１７Ａ−１を内側として、このフック部１１Ａ（第一係止部材）を吸収体１のループ部１１Ｂ（第一係止部材）に係止するとともに、他側の切断片１７Ａ−２を一側の切断片１７Ａ−１に重ね合わせて外側として、このフック部１１Ａを一側の切断片１７Ａ−１の外面のループ部１１Ｂ´に係止することができる。
【００６４】
これにより、前腹部Ｐの胴回り方向の長さの調整に融通性を持たせることができる。
【００６５】
図９（ａ）および図１０（ａ）に示すように、上記前腹部Ｐ側の伸縮性積層体１７Ａの２箇所には、この伸縮性積層体１７Ａを手で幅方向に切断可能な切断線１８がそれぞれ形成されている。２本の切断線１８は、胴回り開口部Ｔ側の一端とそれに対向する他端との間に渡って形成されている。２本の切断線１８が互いに平行であると、２本の切断線１８を同時に切断しやすいので好ましい。２本の切断線１８が、胴回り開口部Ｔと直交する方向に形成されていると、切断しやすく、後述する仮係止の際に位置合わせしやすいので好ましい。
【００６６】
上記前腹部Ｐ側の伸縮性積層体１７Ａの内面には、上記各切断線１８の左右外方に位置させて、メカニカルファスナー１１のフック部１１Ａがそれぞれ取付けられるとともに、上記吸収体１の前腹部Ｐ側の端部（以下、前端部という）１ａの外面には、メカニカルファスナー１１のループ部１１Ｂが取付けられている。
【００６７】
このようにすれば、緊急時に前腹部Ｐの伸縮性積層体１７Ａを両切断線１８で切断すれば、図７（ｂ）の場合と同様に、切断した伸縮性積層体１７Ａの切断片１７Ａ−１，１７Ａ−２の一側若しくは両側を左右に開けて、前腹部を開けた状態で排尿等をした後には、新しい使い捨てパンツ１５Ｃに履き替えるまでの間は、図９（ｂ）のように、メカニカルファスナー１１で仮係止して、再度パンツ型として使用できるようになる。
【００６８】
この場合、両切断線１８の間の部分を削除することで、図１０（ｂ）のように、切断した伸縮性積層体１７Ａの一側の切断片１７Ａ−１と他側の切断片１７Ａ−２とを接近させてメカニカルファスナー１１で仮係止できるので、前腹部Ｐの胴回り方向の長さの調整に融通性を持たせることができる。
【００６９】
図９（ｃ）および図１０（ｃ）に示すように、前腹部Ｐの伸縮性積層体１７Ａの切断線１８の無い部位（後述する一側の切断片１７Ａ−１の側）における外面に、メカニカルファスナー１１のループ部１１Ｂ´を別に取付けるようにしても良い。なお、伸縮性積層体１７Ａの外面がフックが着脱可能に係止できる材料（例えば、エアースルー不織布）であれば、その部分をループ部１１Ｂ´として代用とすることが可能である。
【００７０】
このようにすれば、図１０（ｄ）のように、切断した伸縮性積層体１７Ａの一側の切断片１７Ａ−１を内側として、このフック部１１Ａを吸収体１のループ部１１Ｂに係止するとともに、他側の切断片１７Ａ−２を一側の切断片１７Ａ−１に重ね合わせて外側として、このフック部１１Ａを一側の切断片１７Ａ−１の外面のループ部１１Ｂ´に係止することができる。
【００７１】
これにより、前腹部の胴回り方向の長さの調整に融通性を持たせることができる。
【００７２】
上記本発明の実施形態では、吸収体１の後背部Ｑ側の端部（以下、後端部という）１ｂを後背部Ｑ側の伸縮性積層体１７Ｂに接着し、前腹部Ｐ側の伸縮性積層体１７Ａに切断線１８を形成し、前腹部Ｐ側の伸縮性積層体１７Ａにメカニカルファスナー１１のフック部１１Ａを取付け、吸収体１の前端部１ａに、メカニカルファスナー１１のループ部１１Ｂを取付けたが、吸収体１の前端部１ａを前腹部Ｐの伸縮性積層体１７Ａに接着し、後背部Ｑの伸縮性積層体１７Ｂに切断線１８を形成し、後背部Ｑ側の伸縮性積層体１７Ｂにメカニカルファスナー１１のフック部１１Ａを取付け、吸収体１の後端部１ｂに、メカニカルファスナー１１のループ部１１Ｂを取付けるようにしても差し支えない。また、後背部Ｑ側の伸縮性積層体と前腹部Ｐ側の伸縮性積層体の両方に切断線１８を形成し、吸収体１の前端部と後端部をそれぞれ後背部Ｑ側の伸縮性積層体と前腹部Ｐ側の伸縮性積層体に着脱可能に係止することもできる。
【００７３】
図１１は、本発明の実施形態の使い捨てパンツ１５Ｃを製造するための工程図である。
【００７４】
前腹部Ｐの伸縮性積層体１７Ａと後背部Ｑの伸縮性積層体１７Ｂとを所定の間隔を隔てた状態で、長さ方向に横流れ状態で連続送りしながら、工程（１）で伸縮性積層体１７Ａに切断線１８を形成するとともに、この伸縮性積層体１７Ａの上面（使い捨てパンツ１５Ｃの内面に相当する）にメカニカルファスナー１１のフック部１１Ａを取付ける。
【００７５】
一方、工程（２）では、縦流れ状態で吸収体１を製造して、この吸収体１の前端部１ａの裏面（使い捨てパンツ１５Ｃの外面に相当する）にメカニカルファスナー１１のループ部１１Ｂを取付ける。
【００７６】
そして、工程（３）で、吸収体１を９０度反転させて吸収体１の後端部１ｂを伸縮性積層体１７Ｂにホットメルト接着剤等で接着するとともに、吸収体１の前端部１ａのループ部１１Ｂを伸縮性積層体１７Ａのフック部１１Ａに係止して取付ける。
【００７７】
ついで、工程（４）で、吸収体１を境にして伸縮性積層体１７Ａと伸縮性積層体１７Ｂとを重ね合わせ、工程（５）で両積層体１７Ａ，１７Ｂの側縁部１７ａを融着接合（サイドシール）して、工程（６）でサイドシール部分でカットすることにより、図７（ａ）に示したような単品の使い捨てパンツ１５Ｃが完成するようになる。工程（６）において、接近して隣り合う各サイドシール部分１７ａの間を切断すると、切断しやすいので好ましい。
【００７８】
本明細書中では、メカニカルファスナーを止着部材として用いているが、止着部材として、メカニカルファスナーの代わりに粘着テープ等を用いることもできる。本発明の使い捨て着用物品に用いられる止着部材は、取り外し可能に係止できる材料であれば、その材質、形状等は問わない。
【産業上の利用可能性】
【００７９】
本発明の使い捨て着用物品は、前腹部と後背部の両側部を剥離可能に融着接合するサイドシール構造とすることにより、サイド部は剥離強度に優れているから、通常の使用時には、パンツ型として長時間に渡って使用してもサイド部が緩まない。
【００８０】
また、前腹部と後背部とを止着部材で係止する構造を併用することにより、緊急時にサイドシール部分を引き千切った後には、新しい着用物品に履き替えるまでの間は、再度パンツ型として止着部材で仮係止できるようになる。
【００８１】
この結果、高価な使い捨て着用物品を最後まで有効に利用できるようになる。
【図面の簡単な説明】
【００８２】
【図１】参考実施形態１の使い捨てパンツの分解斜視図である。
【図２】図１の使い捨てパンツであり、（ａ）は展開正面図、（ｂ）は使用時の正面図である。
【図３】（ａ）は図２（ａ）のＡ−Ａ線断面図、（ｂ）は図６（ａ）のＢ−Ｂ線断面図である。
【図４】（ａ）は、メカニカルファスナーによる係止部分の拡大平面図、（ｂ）〜（ｈ）は、融着接合によるサイドシール部分の拡大平面図である。
【図５】参考実施形態２の使い捨てパンツの分解斜視図である。
【図６】図５の使い捨てパンツであり、（ａ）は展開正面図、（ｂ）は使用時の正面図である。
【図７】本発明の実施形態に係る１箇所の切断線を有する使い捨てパンツであり、（ａ）は斜視図、（ｂ）は一側の切断片を開いた斜視図、（ｃ）は他側の切断片を一側の切断片に重ね合わせた斜視図である。
【図８】（ａ）は図７（ａ）の平面相当図、（ｂ）は一側の切断片にループ部を取付けたときの図７（ａ）の平面相当図、（ｃ）は図７（ｃ）の平面相当図である。
【図９】２箇所の切断線を有する使い捨てパンツであり、（ａ）は斜視図、（ｂ）は、両切断線の間の部分を削除した斜視図、（ｃ）は、一側の切断片にループ部を取付けた斜視図である。
【図１０】（ａ）は図９（ａ）の平面相当図、（ｂ）は、一側の切断片と他側の切断片とを接近させたときの図９（ｂ）の平面相当図、（ｃ）は、ループ部を取付けたときの図９（ａ）の平面相当図、（ｄ）は、他側の切断片を一側の切断片に重ね合わせたときの図９（ｃ）の平面相当図である。
【図１１】本発明の実施形態に係る使い捨てパンツの製造工程図である。
【図１】
0004574548.tif 000002
【図２】
0004574548.tif 000003
【図３】
0004574548.tif 000004
【図４】
0004574548.tif 000005
【図５】
0004574548.tif 000006
【図６】
0004574548.tif 000007
【図７】
0004574548.tif 000008
【図８】
0004574548.tif 000009
【図９】
0004574548.tif 000010
【図１０】
0004574548.tif 000011
【図１１】
0004574548.tif 000012